(57)【要約】【課題】車両用ヘッドアップ型表示装置において、互いに異なる色で表示される撮映画像および経路案内画像を、フロントウインドシールド１１０の同一領域で表示する。【解決手段】液晶パネル１０から出射されて撮映画像および経路案内画像のうちいずれか一方を示す表示光をフロントウインドシールド１１０に向け反射する凹状反射鏡３０と、フロントウインドシールド１１０のうち表示光の入射領域を変えるために凹状反射鏡３０を回転させる電動モータ４０とを備える。制御回路３２０は、電動モータ４０により凹状反射鏡３０を回転させて、撮映画像および経路案内画像を示す表示光をフロントウインドシールド１１０の同一領域に入射させるようにする。【選択図】　　　　図２
2004058773.tif 000002
【特許請求の範囲】
【請求項１】
車両のインストルメントパネルの内側に配設された透過型表示パネル（１０）と、
第１および第２の画像のうちいずれか一方を表示させ、かつこの一方の画像を他方の画像と異なる表示領域で表示させるように前記透過型表示パネルを制御する表示制御手段（３２０）と、
前記インストルメントパネルの内側に配設されて、前記透過型表示パネルから出射されて前記第１および第２の画像のうちいずれか一方を示す表示光を前記インストルメントパネルの開口部（１００ａ）を通してフロントウインドシールドに向け反射する反射鏡（３０）と、
前記フロントウインドシールドに対して前記いずれか一方を示す表示光の反射角を変えるために前記反射鏡を駆動する駆動手段（４０）と、
前記反射鏡による表示光の反射角を変えて前記第１の画像を示す表示光を前記フロントウインドシールドのうち前記第２の画像を示す表示光と同一領域に入射させるように前記駆動手段を制御する駆動制御手段（３２０）と、を備えることを特徴とする表示装置。
【請求項２】
前記インストルメントパネルの内側に配設されて、前記第１の画像の表示領域と前記第２の画像の表示領域を互いに異なる色の光で照明するための照明部（２０）を備えることを特徴とする請求項１に記載の表示装置。
【請求項３】
透過型表示パネル（１０）と、
第１および第２の画像のうちいずれか一方を表示させ、かつ前記第１の画像の表示領域のうち一部の表示領域に第２の画像を表示させるように前記透過型表示パネルを制御する表示制御手段（３２０Ａ）と
前記透過型表示パネル照明するために光を出射する光源（７０３）と、
前記光源からの光に基づき、前記第１および第２の画像の表示領域にそれぞれ異なる色の光を出射するための第１および第２のフィルタ部（６１０ａ、６１０ｂ）を有するカラーフィルタ（６００）と、
前記第１および第２のフィルタ部のうち、前記透過型表示パネルに光を出射すべきフィルタ部を切り換えるために前記カラーフィルタを駆動する駆動手段（８００）と、
前記第１および第２のフィルタ部のうち前記透過型表示パネルで表示される画像に対応して前記透過型表示パネルに光を出射すべきフィルタ部を切り換えるように前記駆動手段を制御する切換制御手段（３２０Ａ）と、を有することを特徴とする表示装置。
【請求項４】
前記カラーフィルタは、前記第１および第２のフィルタ部が、前記光源からの光の進行方向に交差する交差方向に並べられ、かつ一体に形成されたものであり、
前記駆動手段は、前記カラーフィルタを前記交差方向にスライドさせることにより、前記透過型表示パネルに光を出射すべきフィルタ部を切り換えることを特徴とする請求項３に記載の特徴とする表示装置。
【請求項５】
前記インストルメントパネルの内側に配設されて、前記透過型表示パネルから出射されて前記第１および第２の画像のうちいずれか一方を示す表示光を前記インストルメントパネルの開口部（１００ａ）を通してフロントウインドシールドに向け反射する反射鏡（３０）を有することを特徴とする請求項３又は４に記載の特徴とする表示装置。
【発明の詳細な説明】
【０００１】
【発明の属する技術分野】
本発明は、表示装置に関する。
【０００２】
【従来の技術および発明が解決しようとする課題】
従来、車両用ヘッドアップ型表示装置では、図１１に示すように、インストルメントパネル１の内側に配設された液晶表示装置４および反射鏡２を備えるものがある（特開平６−１０７０３６号公報参照）。
【０００３】
このものにおいて、液晶表示装置４は、第１および第２の情報を互いに異なる第１および第２の表示領域で表示する液晶パネルと、液晶パネルを裏面側から白色光で照明する照明部を備える。さらに、第１の情報を示す第１の表示光を第１の表示領域から受けると、第１の表示光を緑色の光で出射する緑色フィルタと、第２の情報を示す第２の表示光を第２の表示領域から受けると、第２の表示光を赤色の光で出射する赤色フィルタとが備えられている。
【０００４】
ここで、反射鏡２は、液晶表示装置４の表示面４ａおよびフロントウインドシールド３のそれぞれに対して斜めに配置されている。また、反射鏡２が、緑色フィルタから出射される第１の表示光と赤色フィルタから出射される第２の表示光を受けると、第１および第２の表示光をインストルメントパネル１の開口部１ａを通してフロントウインドシールド３に向けて反射する。このことにより、第１および第２の表示光が、フロントウインドシールド３の視野領域に投影されることになる。
【０００５】
【発明が解決しようとする課題】
しかし、上述した表示装置では、第１および第２の情報を示す第１および第２の表示光をそれぞれ緑色、赤色で出射するために、第１および第２の表示領域のそれぞれに対応して緑色フィルタおよび赤色フィルタを配置する必要がある。このため、第１および第２の表示領域で表示される情報の表示色は、それぞれ緑色、赤色に限定されることになる。すなわち、液晶表示装置２としては、表示色毎に、表示領域を分ける必要がある。
【０００６】
また、液晶表示パネルとしてカラー液晶表示パネルを用いれば、第１および第２の表示領域で表示される情報の表示色を、それぞれ緑色、赤色に限定する必要がなくなるものの、コスト高を招くことになる。さらに、カラー表示のためにカラーフィルタを用いると、カラーフィルタにより光の透過率が低下するため、照明部として、輝度の大きなものを用いる必要がある。
【０００７】
本発明は、互いに異なる色で表示される第１および第２の画像を同一領域で表示できるようにした表示装置を提供することを目的とする。
【０００８】
また、本発明は、第１および第２の画像を、フロントウインドシールドの同一領域で表示できるようにした表示装置を提供することを第２の目的とする。
【０００９】
【課題を解決するための手段】
上記目的を達成するため、請求項１に記載の発明では、車両のインストルメントパネルの内側に配設された透過型表示パネル（１０）と、第１および第２の画像のうちいずれか一方を表示させ、かつこの一方の画像を他方の画像と異なる表示領域で表示させるように透過型表示パネルを制御する表示制御手段（３２０）と、インストルメントパネルの内側に配設されて、透過型表示パネルから出射されて第１および第２の画像のうちいずれか一方を示す表示光をインストルメントパネルの開口部（１００ａ）を通してフロントウインドシールドに向け反射する反射鏡（３０）と、フロントウインドシールドに対していずれか一方を示す表示光の反射角を変えるために反射鏡を駆動する駆動手段（４０）と、反射鏡による表示光の反射角を変えて第１の画像を示す表示光をフロントウインドシールドのうち第２の画像を示す表示光と同一領域に入射させるように駆動手段を制御する駆動制御手段（３２０）と、を備えることを特徴とする。
【００１０】
このように、第１の画像を示す表示光と第２の画像を示す表示光とをフロントウインドシールドの同一領域に入射させることができるので、第１および第２の画像を、フロントウインドシールドの同一領域に表示させることができる。
【００１１】
ここで、請求項２に記載の発明のようにインストルメントパネルの内側に配設されて、第１の画像の表示領域と第２の画像の表示領域を互いに異なる色の光で照明するための照明部（２０）を備えるように構成すれば、第１および第２の画像が互いに異なる色で表示されることになる。これに伴い、互いに異なる表示色での第１および第２の画像がフロントウインドシールドの同一領域に表示されることになる。
【００１２】
請求項３に記載の発明では、透過型表示パネル（１０）と、第１および第２の画像のうちいずれか一方を表示させ、かつ第１の画像の表示領域のうち一部の表示領域に第２の画像を表示させるように透過型表示パネルを制御する表示制御手段（３２０Ａ）と透過型表示パネル照明するために光を出射する光源（７０３）と、光源からの光に基づき、第１および第２の画像の表示領域にそれぞれ異なる色の光を出射するための第１および第２のフィルタ部（６１０ａ、６１０ｂ）を有するカラーフィルタ（６００）と、第１および第２のフィルタ部のうち、透過型表示パネルに光を出射すべきフィルタ部を切り換えるためにカラーフィルタを駆動する駆動手段（８００）と、第１および第２のフィルタ部のうち透過型表示パネルで表示される画像に対応して透過型表示パネルに光を出射すべきフィルタ部を切り換えるように駆動手段を制御する切換制御手段（３２０Ａ）と、を有することを特徴とする。
【００１３】
これにより、表示パネルで表示される画像に対応して、透過型表示パネルに光を出射すべきフィルタ部が切り替わるため、第１および第２の画像のそれぞれの表示領域が、互いに異なる色で表示されることになる。従って、表示パネルが、互いに異なる色で表示する第１および第２の画像を、同一領域で表示させることになる。
【００１４】
例えば、請求項４に記載の発明のように、カラーフィルタは、第１および第２のフィルタ部が、光源からの光の進行方向に交差する交差方向に並べられ、かつ一体に形成されたものであり、駆動手段は、カラーフィルタを交差方向にスライドさせることにより、透過型表示パネルに光を出射すべきフィルタ部を切り換えるように構成してもよい。
【００１５】
また、請求項５に記載の発明では、インストルメントパネルの内側に配設されて、透過型表示パネルから出射されて第１および第２の画像のうちいずれか一方を示す表示光をインストルメントパネルの開口部（１００ａ）を通してフロントウインドシールドに向け反射する反射鏡（３０）を有することを特徴とする。
このことにより、フロントウインドシールドにおいて、互いに異なる色で表示する第１および第２の画像が、同一領域で表示させることになる。
なお、上記各手段の括弧内の符号は、後述する一実施形態に記載の具体的手段との対応関係を示す一例である。
【００１６】
【発明の実施の形態】
（第１実施形態）
図１、図２に、本発明に係る第１実施形態の車両用ヘッドアップ型表示装置を示す。図１は、車両用ヘッドアップ型表示装置の概略構成を示す図、図２は、車両用ヘッドアップ型表示装置の部分拡大図、図３は、表示パネルの表示領域を示す図である。
【００１７】
図１において、車両用ヘッドアップ型表示装置は、液晶パネル１０、照明部２０、凹状反射鏡３０および電動モータ４０を備えている。液晶パネル１０は、照明部２０、凹状反射鏡３０および電動モータ４０とともに、インストルメントパネル１００の内側に配設されており、液晶パネル１０は、光透過型の表示パネルであって、照明部２０から照明されて、画像を示す表示光を出射する。
【００１８】
照明部２０は、図２に示すように、ケース２００、基板２１０ａ、２１０ｂ、白色発光ダイオード２２０、緑色発光ダイオード２３０および凸レンズ２４０、２５０を備える。ケース２００は、液晶パネル１０の裏面側に配設されたもので、開口部２０１が液晶パネル１０の裏面に向けて配置されている。また、ケース２００には、内部空間を上下に隔てる隔壁２０３が設けられている。
【００１９】
凸レンズ２４０は、ケース２００の上側空間２０２内に配設されたもので、白色発光ダイオード２２０からの白色光を液晶パネル１０の全表示領域のうち上側領域１１（図３参照）に出射する。また、白色発光ダイオード２２０は、基板２１０ａに実装されており、基板２１０ａには、白色発光ダイオード２２０からの白色光を凸レンズ２４０に反射するためのリフレクタ２６０実装されている。
【００２０】
凸レンズ２５０は、ケース２００の下側空間２０４内に配設されたもので、緑色発光ダイオード２３０から出射される緑色光を液晶パネル１０の全表示領域のうち下側中央部１２ａ（図３参照）に出射する。また、緑色発光ダイオード２３０は、基板２１０ｂに実装されており、基板２１０ｂには、緑色発光ダイオード２３０からの緑色光を凸レンズ２７０に反射するためのリフレクタ２７０が実装されている。
【００２１】
凹状反射鏡３０は、凹面境であって、液晶パネル１０およびフロントウインドシールド１１０のそれぞれに対して傾斜して配置されている。凹状反射鏡３０は、反射面３１により、液晶パネル１０から出射された表示光をインストルメントパネル１００の開口部１００ａを通してフロントウインドシールド１１０の内表面に向けて反射する。
【００２２】
また、凹状反射鏡３０のうち液晶パネル１０側の一端には、軸３３を介して歯車３２が固定されている。軸３３は、凹状反射鏡３０の側面から紙面手前側に延出するように配置されたもので、図示しない支持部材によってインストルメントパネル１００の内壁に支持されている。
【００２３】
ここで、歯車３２は、歯車４２とともに、互いの歯４２ａ、３２ａが噛み合うように配置されており、歯車４２の軸穴には、電動モータ４０の駆動軸４１が嵌合されている。これにより、電動モータ４０の駆動軸４１が回転することにより凹状反射鏡３０が回転することができる。
【００２４】
次に、車両用ヘッドアップ型表示装置の電気回路構成について図４を用いて説明する。
【００２５】
車両用ヘッドアップ型表示装置は、画像処理回路３００、駆動回路３１０乃至３１３および制御回路３２０を備える。画像処理回路３００は、カメラ４００により撮像された画像データに対して画像処理を施して画像処理信号を出力する。カメラ４００は、例えば、車両前方を撮像するために設置されている。
【００２６】
また、駆動回路３１０は、液晶パネル１０により画像を表示させる。駆動回路３１１は、白色発光ダイオード２２０を点灯させる。駆動回路３１２は、緑色発光ダイオード２３０を点灯させる。駆動回路３１３は、電動モータ４０を駆動する。
【００２７】
制御回路３２０は、マイクロコンピュータ等を備え、駆動回路３１１、３１２を制御して発光ダイオード２２０、２３０を点灯させるための処理および画像処理回路３００の出力或いはナビゲータ３３０の出力に基づき駆動回路３１０を制御して液晶パネル１０により画像を表示させるための処理を実行する。また、制御回路３２０は、駆動回路３１３を制御して電動モータ４０を駆動させて凹状反射鏡３０を回転させるための処理を実行する。
【００２８】
次に、本実施形態の作動について説明する。
【００２９】
先ず、イグニッションスイッチ５００がオンしているとき、制御回路３２０は、バッテリ５１０から給電されて作動する。例えば、カメラ４００が車両前方を撮像して撮像データを出力すると、画像処理回路３００は、カメラ４００からの撮像データに基づき、画像処理データを出力する。これに伴い、制御回路３２０が、画像処理データに基づき、駆動回路３１０を駆動する。このため、駆動回路３１０は、液晶パネル１０の上側表示領域１１に、カメラ４００により撮像された撮像画像を表示させる。
【００３０】
これに加えて、制御回路３２０が、駆動回路３１１を駆動すると、駆動回路３１１は、白色発光ダイオード２２０を点灯させる。これに伴い、白色発光ダイオード２２０は、凸型レンズ２４０に白色光を出射するため、凸型レンズ２４０は、液晶パネル１０の上側表示領域１１に出射する。
【００３１】
このとき、液晶パネル１０は、凸型レンズ２４０からの白色光に基づき、撮像画像を示す表示光を上側表示領域１１（図３参照）から凹状反射鏡３０に出力するので、凹状反射鏡３０は、反射面３１により、液晶パネル１０から出射された表示光をインストルメントパネル１００の開口部１００ａを通してフロントウインドシールド１１０に向けて反射する。これに伴い、図５に示すように、フロントウインドシールド１１０の所定領域１１０ａには、カメラ４００による撮像画像が白色で表示されることになる。図５は、横断歩道を横断している学童を撮像した画像を示す。
【００３２】
また、ナビゲータ３３０が、目的地までの経路を案内するための経路案内データを出力する場合には、制御回路３２０が、駆動回路３１３により、電動モータ４０の駆動軸４１を時計回りに所定角度回転させる。これに伴い、歯車４２が時計回りに回転するので、歯車３２が反時計回りに回転する。従って、凹状反射鏡３０が軸３３を中心として、図２中矢印Ｙに示すように、反時計回りに回転することになる。
【００３３】
ここで、制御回路３２０が、カメラ４００による撮像画像に代わる経路案内データに基づき、駆動回路３１０を駆動する。このため、駆動回路３１０は、経路案内データに基づいた経路案内画像を、液晶パネル１０の下側中央部１２ａに表示させる。
【００３４】
これに加えて、制御回路３２０が、駆動回路３１１に代えて駆動回路３１２を駆動するため、駆動回路３１２は、緑色発光ダイオード２３０を点灯させる。これに伴い、緑色発光ダイオード２３０は、凸型レンズ２５０に緑色光を出射するため、凸型レンズ２５０は、緑色光を液晶パネル１０の下側中央部１２ａに出射することになる。
【００３５】
このため、液晶パネル１０は、緑色光に基づき、経路案内画像を示す表示光を下側中央部１２ａから凹状反射鏡３０に出力するので、凹状反射鏡３０は、反射面３１により、液晶パネル１０から出射された表示光をインストルメントパネル１００の開口部１００ａを通してフロントウインドシールド１１０に向けて反射する。
【００３６】
ここで、凹状反射鏡３０は、上述のごとく、電動モータ４０により反時計回りに回転されているため、カメラ４００による撮像画像を示す表示光を反射する場合に比べて、大きな反射角で、経路案内画像を示す表示光を反射することができる。
【００３７】
なお、反射角は、表示光における入射光と反射光とが成す角度で、例えば、図２中符号θ１は、撮像画像を示す表示光の反射角、符号θ２（＞θ１）は、経路案内画像を示す表示光の反射角を示す。
【００３８】
以上のように、凹状反射鏡３０は、経路案内画像を示す表示光を反射するので、経路案内画像を示す表示光は、フロントウインドシールド１１０の所定領域のうち下側中央部に入射されて、図６に示すように、所定領域１１０ａの下側中央部１１０ｂには、経路案内画像が緑色で表示されることになる。図６は、２００メートル前方で左折するように経路案内するための画像を示す。
【００３９】
ここで、所定領域１１０ａは、上述のごとく、撮像画像を示す表示光が入射される領域であるため、撮像画像を示す表示光を、フロントウインドシールド１１０のうち経路案内画像を示す表示光と同一領域に入射させることになる。従って、互いに異なる表示色での撮像画像と経路案内画像とを、フロントウインドシールド１１０の同一領域に表示させることになる。
【００４０】
また、上記実施形態では、照明部２０の光源として、発光ダイオード２２０、２３０を用いた例を示したが、電球などの各種の光源を用いるようにしてもよく、また光源としては、発光ダイオードのように自発光で表示色の光を出射するものに限らず、白色光を出射する発光素子（例えば、白色電球）と、この発光素子からの白色光に基づき所望の表示色の光を出射するフィルタとを組み合わせたものを用いるようにしてもよい。また、発光素子とフィルタとは、一体化にする場合に限らず、互いに分離して配置するようにしてもよい。
また、上記第１実施形態では、インストルメントパネル１１０の内側に配設された表示パネルとして、液晶パネル１０を用いたものを示したが、ＥＬパネルなどの各種の表示パネルを用いてもよい。
なお、上記第１実施形態では、電動モータ４０により凹状反射鏡３０を回転させて、フロントウインドシールド１１０のうち凹状反射鏡３０の反射光の入射領域を変えるようにしたものを示したが、凹状反射鏡３０をスライドをさせて反射光の入射領域を変えるようにしてもよい。
さらに、上記第１実施形態では、表示制御手段および駆動制御手段を１つの制御回路で構成するものを示したが、表示制御手段および駆動制御手段を別々に構成するようにしてもよい。
また、上記第１実施形態では、撮像画像を液晶パネル１０に表示させてから凹状反射鏡３０を回転させたのち、経路案内画像を液晶パネル１０に表示させることにより、撮像画像と経路案内画像を同一領域で表示させるものを示したが、経路案内画像を液晶パネル１０に表示させてから凹状反射鏡３０を回転させたのち撮像画像を液晶パネル１０に表示させるようにしてもよい。
（第２実施形態）
上述した第１実施形態では、互いに異なる表示色の撮像画像と経路案内画像とを、フロントウインドシールド１１０の同一領域に表示させるために、凹状反射鏡３０を回転させるようにしたものを示したが、これに代えて、第２実施形態では、白色光と緑色光とを出射するためのカラーフィルタを用いて、互いに異なる表示色の撮像画像と経路案内画像とを、同一領域に表示させるようにしたものを示す。この場合の構成を図７に示す。
【００４１】
図７において、車両用ヘッドアップ型表示装置は、液晶パネル１０、照明部２０Ａ、凹状反射鏡３０Ａおよびカラーフィルタ６００を備える。液晶パネル１０は、上記第１実施形態で示された液晶パネル１０と同一のものである。照明部２０Ａは、後述するように、白色光をカラーフィルタ６００に出射する。
【００４２】
カラーフィルタ６００は、照明部２０Ａと液晶パネル１０との間に配設されたもので、後述するように、照明部２０Ａからの白色光を受け、白色光あるいは緑色光を液晶パネル１０を出射する。また、反射鏡３０Ａは、液晶パネル１０およびフロントウインドシールド１１０のそれぞれに対して傾斜したまま、インストルメントパネル１００の内壁に固定されている。
【００４３】
次に、カラーフィルタ６００および照明部２０Ａの構成を図８、図９を用いて説明する。図８は、カラーフィルタ６００を示す斜視図、図９は、照明部２０Ａの構成を示す断面図である。
【００４４】
図８において、カラーフィルタ６００は、フィルタ本体６１０およびステー６２０から構成されており、フィルタ本体６１０は、フィルタ６１０ａおよびフィルタ６１０ｂを有する。フィルタ６１０ａおよびフィルタ６１０ｂは、アクリル樹脂等の透過性板部材を用いて一体に形成されている。フィルタ６１０ａは、透過性板部材の上側領域においてこの透過性板部材が露出するように構成されたもので、照明部２０Ａからの白色光を受け白色光を出射する。
【００４５】
フィルタ６１０ｂは、緑色部６１０ｃおよび遮光部６１０ｄを有する。緑色部６１０ｃは、透光性板部材の下側領域のうち下側中央部に緑色塗料が塗布されて形成されている。遮光部６１０ｄは、透光性板部材の下側領域のうち下側中央部を除く領域に遮光材料が塗布されて形成されている。このことにより、フィルタ６１０ｂは、照明部２０Ａからの白色光を受け下側中央部から緑色光を出射することになる。
【００４６】
ステー６２０は、角柱状に形成されたもので、上下に延びるように配設されており、ステー６２０は、フィルタ本体６１０の側部に固定されている。ステー６２０の側面には、歯６２１が形成されており、歯６２１には、歯車７００の歯７０１が噛み合っている。歯車７００の軸穴には、電動モータ８００の駆動軸が嵌合されている。このことにより、電動モータ８００の駆動軸が回転することにより、カラーフィルタ６００を上下にスライドさせることになる。
【００４７】
また、照明部２０Ａは、図９に示すように、ケース７０１、基板７０２および電球７０３（光源）を備えており、ケース７０１は、カラーフィルタ６００の裏面側に配設されたもので、開口部７０１ａがカラーフィルタ６００側に向けて配置されている。電球７０３は、ケース７０１内において、カラーフィルタ６００側に向けて配置されており、電球７０３は、基板７０２に実装されている。
【００４８】
次に、本実施形態の電気回路構成について図１０を用いて説明する。
【００４９】
車両用ヘッドアップ型表示装置は、画像処理回路３００、駆動回路３１０、３１４、３１５、制御回路３２０Ａを備える。駆動回路３１４は、電球７０３を点灯させる。
【００５０】
制御回路３２０Ａは、マイクロコンピュータ等を備え、駆動回路３１４を駆動して電球７０３を点灯させるための処理および画像処理回路３００の出力或いはナビゲータ３３０の出力に基づき駆動回路３１０を制御して液晶パネル１０により画像を表示させるための処理を実行する。また、制御回路３２０Ａは、駆動回路３１４を介して電動モータ８００を駆動して、カラーフィルタ６００をスライドさせるための処理を実行する。なお、図１０において、図３中の符号と同一符号のものは、同一物を示す。
【００５１】
以上のように構成された本実施形態において、カラーフィルタ６００のフィルタ６１０ａが、液晶パネル１０に対向するように配置されている場合、例えば、制御回路３２０が、画像処理回路３００からの画像処理データに基づき、駆動回路３１０を駆動する。
【００５２】
これに伴い、駆動回路３１０は、液晶パネル１０の表示領域の全てに亘り、カメラ４００により撮像された撮像画像を表示させる。これに加えて、制御回路３２０が、駆動回路３１５により、電球７０３を点灯させるため、電球７０３は、白色光をカラーフィルタ６００のフィルタ６１０ａに出射する。このため、フィルタ６１０ａが、電球７０３からの白色光に基づき白色光を液晶パネル１０の全表示領域に出射する。
【００５３】
このとき、液晶パネル１０は、フィルタ６１０ａからの白色光に基づき、撮像画像を示す表示光を全表示領域から凹状反射鏡３０Ａに出力する。従って、凹状反射鏡３０Ａは、反射面３１により、液晶パネル１０から出射された表示光をインストルメントパネル１００の開口部１００ａを通してフロントウインドシールド１１０に向けて反射する。これに伴い、フロントウインドシールド１１０には、図５に示すように、カメラ４００による撮像画像が白色で表示されることになる。
【００５４】
また、ナビゲータ３３０が経路案内データを出力する場合には、制御回路３２０が、駆動回路３１４により電動モータ８００の駆動軸を時計回りに所定角度回転させると、歯車７００が回転する。これに伴い、カラーフィルタ６１０が、上側にスライドする。これにより、フィルタ６１０ａに代わるフィルタ６１０ｂが液晶パネル１０に対向することになる。このため、フィルタ６１０ｂは、照明部２０Ａからの白色光を受け、緑色光を液晶パネル１０の全表示領域のうち下側中央部１２ａに出射することになる。
【００５５】
ここで、制御回路３２０が、カメラ４００による撮像画像に代わる経路案内データに基づき、駆動回路３１０を駆動する。このため、駆動回路３１０は、経路案内データに基づいた経路案内画像を、液晶パネル１０の下側中央部１２ａに表示させる。
【００５６】
これに伴い、液晶パネル１０は、フィルタ６１０ｂからの緑色光に基づき、経路案内画像を示す表示光を下側中央部１２ａから凹状反射鏡３０に出力するので、凹状反射鏡３０は、反射面３１により、液晶パネル１０から出射された表示光をインストルメントパネル１００の開口部１００ａを通してフロントウインドシールド１１０に向けて反射する。従って、図６に示すように、経路案内画像が、フロントウインドシールド１１０の所定領域１１０ａの下側中央部１１０ｂに緑色で表示されることになる。
【００５７】
以上説明したように本実施形態では、液晶パネル１０が、全表示領域に撮像画像を表示させるとき、カラーフィルタ６００のフィルタ６１０ａからの白色光を受けるので、液晶パネル１０が、全表示領域で撮像画像を白色で表示することになる。また、液晶パネル１０が、経路案内画像を、下側中央部１２ａに表示させるときには、フィルタ６１０ｂからの緑色光を受けるので、液晶パネル１０が、経路案内画像を緑色で表示することになる。以上により、液晶パネル１０が、互いに異なる表示色の撮像画像および経路案内画像を、同一領域で表示させることになる。
【００５８】
これに伴い、撮像画像および経路案内画像のうちいずれか一方を示す表示光が、凹状反射鏡３０Ａの反射により、フロントウインドシールド１１０に向けて反射されるので、互いに異なる表示色での撮像画像および経路案内画像が、フロントウインドシールド１１０の同一領域で表示されることになる。
また、上記第２実施形態では、フィルタ部６１０ａ、６１０ｂのうち照明部２０Ａからの光が入射されるフィルタ部を切り換えるために、電動モータ８００、歯車７００および制御回路３２０Ａを用いたものを示したが、電動モータ８００に代えて、電磁ソレノイドなどのを用いてもよい。さらに、カラーフィルタ６２０としては、スライドさせて、照明部２０Ａからの光が入射されるフィルタ部を切り換えるもの以外に、次のように構成してもよい。すなわち、カラーフィルタ６２０としては、長帯状の透過性板部材をリング状に形成したものを用意し、このものの円周方向にフィルタ部６１０ａ、６１０ｂを並べるように形成するようにする。そして、カラーフィルタ６２０をスライドさせるのではなく、回転移動させて、照明部２０Ａからの光が入射されるフィルタ部を切り換えるようにしてもよい。
【００５９】
また、上記第２実施形態では、カラーフィルタ６２０のフィルタ部６１０ａ、６１０ｂを、電球７０３（光源）からの光の進行方向に交差する交差方向に並べるように形成するようにするために、フィルタ部６１０ａ、６１０ｂを透光性板部材の上側および下側に形成したものを用いた例を示したが、フィルタ部６１０ａ、６１０ｂを透光性板部材の右側および左側に形成してもよい。さらに、カラーフィルタ６２０としては、フィルタ部６１０ａ、６１０ｂを一体に形成するものに限らず、フィルタ部６１０ａ、６１０ｂとして個々に別体ものを用い、フィルタ部６１０ａ、６１０ｂのうち、液晶パネル１０に光を出射させるべきフィルタ部を切り換えるための機構を用いるようにしてもよい。
【００６０】
また、上記第２実施形態では、切換制御手段および表示制御手段を１つの制御回路３２０Ａで構成するものを示したが、切換制御手段および表示制御手段を別々に構成するようにしてもよい。
【００６１】
なお、上記各実施形態では、第１および第２の画像として、撮像画像、経路案内画像を用いた例を示したが、撮像画像、経路案内画像に限らず、各種の画像を用いるようにしてもよい。また、撮像画像のためのカメラ４００としては、赤外線カメラを用いれば、撮像画像をフロントウインドシールド１１０に表示させることにより、夜間の視界補助の役割を果たすことができる。
【００６２】
さらに、上記各実施形態では、撮像画像、経路案内画像を表示するための表示色として、白色、緑色を用いた例を示したが、白色、緑色以外の表示色を用いるようにしてもよい。
また、上記第２実施形態では、撮像画像を液晶パネル１０に表示させてからカラーフィルタ１６０をスライドさせたのち、経路案内画像を液晶パネル１０に表示させることにより、撮像画像と経路案内画像を同一領域で表示させるものを示したが、経路案内画像を液晶パネル１０に表示させてからカラーフィルタ１６０をスライドさせたのち、撮像画像を液晶パネル１０に表示させるようにしてもよい。
また、上記各実施形態では、インストルメントパネル１１０の内側に配設された表示パネルとして、液晶パネル１０を用いたものを示したが、光透過性の表示パネルならば、各種の表示パネルを用いてもよい。
【図面の簡単な説明】
【図１】本発明に係る車両用ヘッドアップ型表示装置の第１実施形態を示す図である。
【図２】図１の照明部、凹状反射鏡の断面図である。
【図３】第１実施形態の電気回路構成を示す図である。
【図４】図１の液晶パネルによる表示を示す図である。
【図５】図１の液晶パネルの表示領域を示す図である。
【図６】図１の液晶パネルによる表示を示す図である。
【図７】本発明に係る車両用ヘッドアップ型表示装置の第２実施形態を示す図である。
【図８】図７のカラーフィルタを示す斜視図である。
【図９】図７の照明部を示す断面図である。
【図１０】第２実施形態の電気回路構成を示す図である。
【図１１】従来の車両用ヘッドアップ型表示装置を示す図である。
【符号の説明】
１０…液晶パネル、２０…照明部、３０…反射鏡、３１０…駆動回路。
３３０…ナビゲータ、４００…カメラ。
【図１】
2004058773.tif 000003
【図２】
2004058773.tif 000004
【図３】
2004058773.tif 000005
【図４】
2004058773.tif 000006
【図５】
2004058773.tif 000007
【図６】
2004058773.tif 000008
【図７】
2004058773.tif 000009
【図８】
2004058773.tif 000010
【図９】
2004058773.tif 000011
【図１０】
2004058773.tif 000012
【図１１】
2004058773.tif 000013